(57)【特許請求の範囲】
【請求項１】
ハンドル部と、
前記ハンドル部の片側の端部に該ハンドル部と一体に連設された上顎部と、
前記上顎部に対峙して該上顎部との間にボルト頭、ナット等の断面多角形状の被回転体を挟み込んで該被回転体に係合嵌合するための下顎部と、
前記下顎部を可動に支持し、前記ハンドル部の前記上顎部が連設された端部に、該下顎部を前記上顎部に接近離反させ得るように摺動可能に設けられたスライダと、
前記下顎部を前記上顎部に対し接近離反させるように前記スライダを駆動する駆動機構と、
前記下顎部と前記スライダ又は（及び）前記ハンドル部との間に装着されて前記下顎部に偏倚力を付与するバネとを備えており、
前記ハンドル部の前記端部及び前記スライダのうち少なくとも一方は前記下顎部を面接触させるための平坦面を有しており、
前記上顎部は前記被回転体の側面に面接触するための被回転体掴み用の内側面を有しており、
前記スライダは前記下顎部の該スライダ上での動きを案内する案内部を有しており、
前記下顎部は前記被回転体の側面に面接触するための、前記上顎部の前記内側面に対向する被回転体掴み用の内側面を有するとともに前記ハンドル部端部及び（又は）前記スライダの前記平坦面に面接触するための安定化接触面を有しており、さらに前記スライダの前記案内部に摺動可能に係合するピンを有しており、
前記下顎部は、前記バネにより偏寄力を受けて前記安定化接触面が前記ハンドル部端部及び（又は）前記スライダの平坦面に面接触するとともに被回転体掴み用の前記内側面が前記上顎部の被回転体掴み用の内側面に平行となる安定位置と、前記バネに抗して前記ピンが前記案内部に沿って摺動することで該安定位置より浮き上がって該ピン周りに、前記上下顎部間隔を広げるように回動可能の回動位置とをとることができ、
さらに、前記スライダの駆動機構にて前記スライダを前記ハンドル部の端部上で摺動させていない状態のとき、該スライダの摺動を制止する摩擦ブレーキ部材を備えていることを特徴とするアジャスタブルレンチ。
【請求項２】
前記スライダの駆動機構はウォームギヤ機構である請求項１記載のアジャスタブルレンチ。
【請求項３】
前記スライダの駆動機構はウォームギヤ機構であり、前記摩擦ブレーキ部材は該ウォームギヤ機構におけるウォームギヤを回転可能に支持する軸と、該ウォームギヤとの間に両者間で圧縮された状態で嵌挿された弾性リングである請求項２記載のアジャスタブルレンチ。
【発明の詳細な説明】
【０００１】
【発明の属する技術分野】
本発明は断面形状が多角形のボルト頭、ナット等の被回転体を回すアジャスタブルレンチ（俗にモンキーレンチと呼ばれる）に関する。
【０００２】
【従来の技術】
従来、断面形状が多角形のボルト頭、ナット等の被回転体を緊締状態へ締めつけたり、緊締状態から緩めるために回す道具としてレンチ、スパナ等と称されている回し具がある。
【０００３】
かかる従来の回し具は、大別してボルト頭、ナット等の被回転体に上方から嵌めるタイプのものと、被回転体の側方から嵌めるタイプのものがある。
【０００４】
被回転体に上方から嵌めるタイプの回し具としてはボックスレンチや被回転体に嵌合係合させる部分を取り替えることができるソケットレンチ、被回転体に上方から嵌合係合させる孔を有する孔あきスパナ等が知られており、被回転体の側方から嵌めるタイプの回し具として被回転体へ側方から嵌合係合させる二股部を有するスパナが知られている。
【０００５】
また、締めつけ部位及び締めつけ部材等によっては、必要とする締めつけ力が異なり、それゆえ、用いるボルト、ナット等の被回転体の大きさも異なる。これらの部位に対して、ソケットレンチを用いる場合、被回転体の被係合部の大きさが変わる毎に該被係合部の大きさに合わせたソケット部を交換しなくてはならず、また、孔あきスパナ、ボックスレンチ及び二股部を有するスパナ等の場合、前記被回転体の大きさに合うものに交換しなければならず、非常に効率が悪い。さらに、規格の異なる国の製品を扱う場合、被回転体の大きさも異なってくるので、それ用の工具を用意しなければならず、非常に作業効率が悪い。そこで、こういった大きさの変化に対応するために、前記被回転体の大きさに合わせて係合部を無段階に調節できるアジャスタブルレンチが用いられる。
【０００６】
【発明が解決しようとする課題】
しかしながら、前記アジャスタブルレンチを用いて前記断面多角形状の被回転体を回動する場合、該被回転体を挟着する上顎部と下顎部のうち上顎部に対して接近離反する下顎部と一体に形成されたスライダ又は、該スライダを摺動させる駆動機構のゆるみ及び（又は）がたつきによって、上顎部と下顎部の距離が変化する。この状態で、被回転体を回動しつづけると、該被回転体をゆるめたり又は確実に締めつけることができず、前記断面多角形の被回転体の角部を傷める場合もある。
【０００７】
また、前記アジャスタブルレンチのゆるみ及び（又は）がたつきを直しながら確実に前記被回転体と係合するためには、適宜、前記駆動機構を調整しなくてはならず、非常に手間がかかり、作業効率も悪くなる。
【０００８】
そこで本発明は、断面多角形状のボルト頭、ナット等の被回転体に側方から該被回転体の被嵌合部の大きさに合わせて開口部を拡縮させて該被回転体に嵌合係合させ、その後は頻繁に下顎部の位置を調整しなくても該被回転体を確実につかんだ状態で、該被回転体を締めつける又は緩めることができる便利なアジャスタブルレンチを提供することを課題とする。
【０００９】
また本発明は少ない部品点数で簡単な構造に製作でき、それだけ安価に製作できるアジャスタブルレンチを提供することを課題とする。
【００１０】
また本発明は使い易いアジャスタブルレンチを提供することを課題とする。
【００１１】
【課題を解決するための手段】
本発明は前記課題を解決するため次のアジャスタブルレンチを提供する。
本発明に係るアジャスタブルレンチを説明する前に参考までに次の参考例アジャスタブルレンチも説明しておく。
（１）参考例アジャスタブルレンチ
参考例アジャスタブルレンチは、
ハンドル部と、
前記ハンドル部の片側の端部に該ハンドル部と一体に連設された上顎部と、
前記上顎部に対峙して該上顎部との間にボルト頭、ナット等の断面多角形状の被回転体を挟み込んで該被回転体に係合嵌合するための下顎部と、
前記下顎部と一体に形成され、前記ハンドル部の前記上顎部が連設された端部に、該下顎部を前記上顎部に接近離反させ得るように摺動可能に設けられたスライダと、
前記下顎部を前記上顎部に対し接近離反させるように前記スライダを駆動する駆動機構と、
前記スライダの駆動機構にて前記スライダを前記ハンドル部の端部上で摺動させていない状態のとき、該スライダの摺動を制止する摩擦ブレーキ部材とを備えている。
【００１２】
前記スライダの駆動機構はそれには限定されないが、代表的にはウォームギヤ機構でよい。
【００１３】
かかる摩擦ブレーキ部材としては、スライダとハンドル部端部との間に両者間で圧縮された状態で嵌められたゴム等からなる弾性シートや、前記スライダ駆動機構がウォームギヤ機構であるときは、該ウォームギヤ機構におけるウォームギヤとそれに隣合うハンドル部分との間に両者間で圧縮される状態で嵌められたゴム等からなる弾性リング等を挙げることができるが、外部からの物品の衝突やゴミの噛み込みによる損傷を抑制するうえで、前記ウォームギヤ機構におけるウォームギヤを回転可能に支持する軸と、該ウォームギヤとの間に両者間で圧縮された状態で嵌挿されたゴム等からなる弾性リングが好ましい。
【００１４】
かかる摩擦ブレーキ部材によって、スライダ、ひいてはそれに一体に形成された前記下顎部が不用意に動くことを防止できる。
【００１５】
参考例アジャスタブルレンチによると、前記スライダ駆動機構を動作させて下顎部を上顎部より離れた位置に移動させ、被回転体を前記上顎部と前記下顎部の間に配置する。そして、前記スライダ駆動機構を動作させて前記下顎部を摺動させ、前記上顎部と前記下顎部で前記被回転体を挟着する。
【００１６】
この状態で、ハンドル部を被回転体を中心にして回すことで、該被回転体を回動させることができる。
【００１７】
また、所定角度回すと、アジャスタブルレンチを被回転体から抜いて、元の位置又は略元の位置に持っていって、再び上顎部と下顎部との間に前記被回転体を係合してハンドルを回す。
【００１８】
これを繰り返すことで、被回転体を緊締状態に締めつけたり、緊締状態から緩めたりできる。
【００１９】
参考例のアジャスタブルレンチは、摩擦ブレーキ部材が取り付けられているので、スライダ、ひいてはスライダと一体に形成された前記下顎部が不用意に動くことがない。それゆえ、上顎部と下顎部の距離を一定に保つために駆動機構を頻繁に操作する必要はなく、また、上顎部及び下顎部が断面多角形状の被回転体を十分に挟着できていない状態でハンドルを回すことで起きる、被回転体の角部の破壊等の不具合も容易に防ぐことができる。
（２）本発明に係るアジャスタブルレンチ
本発明に係るアジャスタブルレンチは、
ハンドル部と、
前記ハンドル部の片側の端部に該ハンドル部と一体に連設された上顎部と、
前記上顎部に対峙して該上顎部との間にボルト頭、ナット等の断面多角形状の被回転体を挟み込んで該被回転体に係合嵌合するための下顎部と、
前記下顎部を可動に支持し、前記ハンドル部の前記上顎部が連設された端部に、該下顎部を前記上顎部に接近離反させ得るように摺動可能に設けられたスライダと、
前記下顎部を前記上顎部に対し接近離反させるように前記スライダを駆動する駆動機構と、
前記下顎部と前記スライダ又は（及び）前記ハンドル部との間に装着されて前記下顎部に偏倚力を付与するバネと、
前記スライダの駆動機構にて前記スライダを前記ハンドル部の端部上で摺動させていない状態のとき、該スライダの摺動を制止する摩擦ブレーキ部材と、を備えている。
【００２０】
前記ハンドル部の前記端部及び前記スライダのうち少なくとも一方は前記下顎部を面接触させるための平坦面を有しており、
前記上顎部は前記被回転体の側面に面接触するための被回転体掴み用の内側面を有しており、前記スライダは前記下顎部の該スライダ上での動きを案内する案内部（例えば案内溝）有している。
【００２１】
前記下顎部は前記被回転体の側面に面接触するための、前記上顎部の前記内側面に対向する被回転体掴み用の内側面を有するとともに前記ハンドル部端部及び（又は）前記スライダの前記平坦面に面接触するための安定化接触面を有しており、さらに前記スライダの前記案内部に摺動可能に係合するピンを有している。
【００２２】
前記下顎部は、前記バネにより偏寄力を受けて前記安定化接触面が前記ハンドル部端部及び（又は）前記スライダの平坦面に面接触するとともに被回転体掴み用の前記内側面が前記上顎部の被回転体掴み用の内側面に平行となる安定位置と、前記バネに抗して前記ピンが前記案内部に沿って摺動することで該安定位置より浮き上がって該ピン周りに、前記上下顎部間隔を広げるように回動可能の回動位置とをとることができる。
【００２３】
前記スライダの駆動機構はそれには限定されないが、代表的にはウォームギヤ機構でよい。
【００２４】
かかる摩擦ブレーキ部材としては、スライダとハンドル部端部との間に両者間で圧縮された状態で嵌められたゴム等からなる弾性シートや、前記スライダ駆動機構がウォームギヤ機構であるときは、該ウォームギヤ機構におけるウォームギヤとそれに隣合うハンドル部分との間に両者間で圧縮される状態で嵌められたゴム等からなる弾性リング等を挙げることができるが、外部からの物品の衝突やゴミの噛み込みによる損傷を抑制するうえで、前記ウォームギヤ機構におけるウォームギヤを回転可能に支持する軸と、該ウォームギヤとの間に両者間で圧縮された状態で嵌挿されたゴム等からなる弾性リングが好ましい。
【００２５】
かかる摩擦ブレーキ部材を設けると、スライダ、ひいてはそれに支持された前記下顎部が不用意に動くことを防止できる。
【００２６】
このアジャスタブルレンチは、被回転体に係合していない、使用していない状態では、前記下顎部が前記バネにて偏倚力を受け、それにより該下顎部の安定化接触面が前記ハンドル部端部及び（又は）前記スライダに設けられた平坦面に面接触するとともに被回転体掴み用の前記内側面が前記上顎部の被回転体掴み用の内側面に平行となる安定位置をとる。
【００２７】
この状態で、被回転体、例えば六角形状のボルト頭やナットに、それが前記上顎部及び下顎部の間に位置するように側方から嵌める。このとき、上下顎部間の間隔が広過ぎたり、狭過ぎたりするときは、前記駆動機構にてスライダを動かし、それにより上下顎部間隔を該上下顎部でちょうど被回転体を挟み込めるように調整する。
【００２８】
この状態で、ハンドル部を被回転体を中心にして、上顎部から前記スライダを経て下顎部の方へ描くことかできる円弧に沿って上顎部側から下顎部側へ回すと、該被回転体を回動させることができる。このとき、前記スライダの案内部に下顎部のピンが係合しているとともに、下顎部の前記安定化接触面がハンドル端部及び（又は）スライダの前記平坦面に面接触していることで、下顎部は不動状態にあり、これにより両顎部間隔は一定に維持され、その状態で被回転体を回動させることができる。
【００２９】
ハンドル部を前記とは反対方向に回すと、このとき被回転体が既にある程度の締め付け状態にあるとか、緩める方向に回されている途中であるとかにより回転外力に対し抵抗があれば、上下顎部が被回転体から反力を受け、これにより、スライダ上で可動である下顎部が、前記バネに抗して前記ピンが案内部に沿って摺動することで、前記安定位置から浮き上がり、前記の回動可能位置をとる。これにより下顎部は、被回転からの反力により、被回転体が両顎部の間で該顎部に対し相対的に回動できるように両顎部間隔を広げる方向に回動する。これにより、ハンドル部を反対方向に回すことができる。
【００３０】
ハンドル部のこの反対方向の回動により被回転体が両顎部の間に遊び状態で嵌まる位置に置かれると、下顎部は前記バネの偏寄力により再び安定位置に配置され、被回転体を掴むことができる。ここでハンドル部を前記のように被回転体回し方向に駆動することで該被回転体を回すことができる。
【００３１】
これを繰り返すことで、換言すれば、両顎部を被回転体に嵌めたままハンドル部を繰り返し往復回動させることで、被回転体を締めつけたり、緩めたりできる。
【００３２】
この本発明に係るアジャスタブルレンチは、断面多角形状のボルト頭、ナット等の被回転体に側方から該被回転体の被嵌合部の大きさに合わせて開口部を拡縮させて該被回転体に嵌合係合させることができ、その係合状態のまま往復回動させて被回転体を締め付け、又は緩めることができ、便利である。
【００３３】
またこのアジャスタブルレンチは、少ない部品点数で簡単な構造に製作でき、それだけ安価に製作できる。
【００３４】
さらに、被回転体に側方から嵌めたまま該被回転体を所定状態間で回せることや、構造が簡単で操作し易い等により使い易い。
【００３５】
また、本発明に係るアジャスタブルレンチは、摩擦ブレーキ部材が取り付けられているので、スライダ、ひいてはスライダに支持された前記下顎部が不用意に動くことがない。それゆえ、上顎部と下顎部の距離を一定に保つために駆動機構を頻繁に操作する必要はなく、また、上顎部及び下顎部が断面多角形状の被回転体を十分に挟着できていない状態でハンドル部を回すことで起こる、被回転体の角部の破壊等の不具合も容易に防ぐことができる。
【００３６】
このように本発明に係るアジャスタブルレンチは、断面多角形状のボルト頭、ナット等の被回転体に側方から該被回転体の被嵌合部の大きさに合わせて開口部を拡縮させて該被回転体に嵌合係合させ、その後は頻繁にスライダ駆動機構を調整しなくても該被回転体を確実につかんだ状態で、該被回転体を締めつける又は緩めることができ、それだけ、容易にまた迅速に被回転体の締め付け又は緩めを行うことができる。
【００３７】
【発明の実施の形態】
以下本発明の実施の形態を図面を参照して説明するが、その前に参考までに参考例アジャスタブルレンチについて説明しておく。
（１）参考例アジャスタブルレンチ
図１は参考例アジャスタブルレンチの全体平面図であり、図２は該レンチの要部の拡大平面図であり、図３は該レンチの要部の拡大側面図である。
【００３８】
図１、図２及び図３に示すアジャスタブルレンチＡＷは、ハンドル部１と、ハンドル部１の片側の端部１１にハンドル部１と一体に連設された上顎部２と、上顎部２に対峙して上顎部２との間に被回転体（例えば断面六角形状のナットＲｔ）を挟み込んでナットＲｔに係合嵌合するための下顎部３と、下顎部３と一体に形成され、ハンドル部１の上顎部２が連設された端部１１に、下顎部３を上顎部２接近離反させ得るように摺動可能に設けられたスライダ４と、下顎部３を上顎部２に対し接近離反させるようにスライダ４を駆動する駆動機構５とを備えている。
【００３９】
上顎部２はナットＲｔの側面に面接触するための被回転体掴み用の内側面２１を有しており、下顎部３はナットＲｔの側面に面接触するための、上顎部２の内側面２１に対向する被回転体掴み用の内側面３１を有している。
【００４０】
スライダ４の駆動機構５はそれには限定されないが、ここではウォームギヤ５２とこれに噛合するラックギヤ４４とからなるウォームギヤ機構５１を用いている。ウォームギヤ５２はハンドル端部１１に支持された軸５３に回転可能に嵌まっており、その一部はハンドル端部の窓から外部に露出している。ラックギヤ４４はスライダ４に形成又は固着されている。かくしてウォームギヤの回動によりウォームギヤに噛合するラック４４が送られ、それによってスライダ４及びスライダ４と一体に形成されている下顎部３が摺動される。
【００４１】
参考例アジャスタブルレンチＡＷによると、スライダ駆動機構５を動作させて下顎部３を上顎部２より離れた位置に移動させ、ナットＲｔを上顎部２と下顎部３の間に配置する。そして、スライダ駆動機構５を動作させて下顎部３を摺動させ、上顎部２と下顎部３でナットＲｔを挟着する。
【００４２】
この状態で、ハンドル部１をナットＲｔを中心にして、回すことで、ナットＲｔを回動させることができる。
【００４３】
また、所定角度回すと、アジャスタブルレンチＡＷをナットＲｔから抜いて、元の位置又は略元の位置に持っていって、再び上顎部２と下顎部３との間にナットＲｔを係合してハンドル部１を回す。
【００４４】
これを繰り返すことで、ナットＲｔを緊締状態に締めつけたり、緊締状態から緩めたりできる。
【００４５】
ウォーム軸５３には外周部に溝５３１が形成されている。溝５３１に摩擦ブレーキ部材としてゴム製のＯ−リング５３２が外嵌されており、Ｏ−リング５３２はウォームギヤ５２とウォーム軸５３との両者に圧縮される状態で嵌められている。
【００４６】
ウォームギヤ５２の内壁とＯ−リング５３２及びウォーム軸５３の外壁とＯ−リング５３２との摩擦力によって、ウォームギヤ５２とウォーム軸５３の相対回動にブレーキをかけ、それによって不用意な回動を抑制できる。ひいては、スライダ４をハンドル部端部１１上で摺動させていない状態のときのスライダ４及び下顎部３の動き及びがたつきを抑制できる。
（２）本発明に係るアジャスタブルレンチ
図４は本発明に係るアジャスタブルレンチの１例の全体平面図であり、図５は該レンチの要部の拡大平面図であり、図６は該レンチの要部の拡大側面図である。
【００４７】
図４、図５及び図６に示すアジャスタブルレンチＡＷ′は、下顎部３′がスライダ４′に回動可能に支持されている以外は、アジャスタブルレンチＡＷと略同じであり、実質上同一の部材には同一の符号が付してある。
【００４８】
図４、図５及び図６に示すアジャスタブルレンチＡＷ′は、ハンドル部１と、ハンドル部１の片側の端部１１にハンドル部１と一体に連設された上顎部２と、上顎部２に対峙して上顎部２との間に断面多角形状の被回転体（ここでは、断面六角形状のナットＲｔ）を挟み込んでナットＲｔに係合嵌合するための下顎部３′と、下顎部３′を可動に支持し、ハンドル部１の上顎部２が連設された端部１１に、下顎部３′を上顎部２に接近離反させ得るように摺動可能に設けられたスライダ４′と、下顎部３′を上顎部２に対し接近離反させるようにスライダ４′を駆動する駆動機構５とを備えている。
【００４９】
ハンドル部１の端部１１及びスライダ４′は下顎部３′を面接触させるための平坦面１２、４１′を有しており（図６参照）、上顎部２はナットＲｔの側面に面接触するための被回転体掴み用の内側面２１を有しており、スライダ４′は下顎部３′のスライダ４′上での動きを案内する案内溝４２′及び下顎部３′に偏寄力を付与するバネ４３′を有している。
【００５０】
下顎部３′はナットＲｔの側面に面接触するための、上顎部２の内側面２１に対向する被回転体掴み用の内側面３１′を有するとともにハンドル部端部１１及びスライダ４′の平坦面１２、４１′に面接触するための安定化接触面３２′を有しており、さらにスライダ４′の案内溝４２′に摺動可能に係合してバネ４３′にて押圧されるピン３３′を有している。
【００５１】
下顎部３′は、ピン３３′がバネ４３′にて押されることで偏寄力を受けて安定化接触面３２′がハンドル部端部１１及びスライダ４′の平坦面１２、４１′に面接触するとともに被回転体掴み用の内側面３１′が上顎部２の被回転体掴み用の内側面２１に平行となる安定位置ＳＰと、バネ４３′に抗してピン３３′が案内溝４２′に沿って摺動することで安定位置ＳＰより浮き上がってピン４３′周りに回動可能の回動位置ＲＰとをとることができる（図５参照）。
【００５２】
スライダ４′の駆動機構５はそれには限定されないが、ここではウォームギヤ機構５１を用いている。
【００５３】
ウォームギヤ機構５１は、ウォームギヤ５２とこれに噛合するラックギヤ４４′とからなっている。
【００５４】
ウォームギヤ５２はハンドル部端部１１に支持されたウォーム軸５３に回動可能に嵌まっており、その一部はハンドル部端部の窓から外部に露出している。
【００５５】
ウォーム軸５３には外周部に溝５３１が形成されている。溝５３１に摩擦ブレーキ部材としてゴム製のＯ−リング５３２が外嵌されており、Ｏ−リング５３２はウォームギヤ５２とウォーム軸５３との両者に圧縮される状態で嵌められている。
【００５６】
ウォームギヤ５２の内壁とＯ−リング５３２及びウォーム軸５３の外壁とＯ−リング５３２との摩擦力によって、ウォームギヤ５２とウォーム軸５３の相対回動にブレーキをかけ、それによって不用意な回動を抑制できる。ひいては、スライダ４′をハンドル部端部１１上で摺動させていない状態のときのスライダ４′のハンドル部端部１１上での動き及びがたつきを抑制できる。
【００５７】
また、ウォームギヤ５２の回動によりウォームギヤに噛合するラック４４′が送られ、それによってスライダ４′及びスライダ４′に支持されている下顎部３′が摺動される。
【００５８】
次にアジャスタブルレンチＡＷ′を用いて断面六角形状のナットＲｔを締めつける又は緩める手順について図面を参考に説明する。
【００５９】
図７（Ａ）〜図７（Ｅ）にアジャスタブルレンチＡＷ′を用いてナットＲｔを締めつける又は緩める手順を示す。
【００６０】
アジャスタブルレンチＡＷ′は、ナットＲｔに係合していない（使用していない）状態では、下顎部３′のピン３３′がスライダ４′上のバネ４３′にて押されることで偏寄力を受け、それにより下顎部３′の安定化接触面３２′がハンドル部端部１１及びスライダ４′に設けられた平坦面１２、４１′に面接触するとともに被回転体掴み用の内側面３１′が上顎部２の被回転体掴み用の内側面２１に平行となる安定位置ＳＰをとる（図５、図６参照）。このとき、Ｏ−リング５３２によってウォームギヤ５２とウォーム軸５３の相対回動が制止されることで、下顎部３′及びスライダ４′のハンドル部端部１１上での動き及びがたつきは抑制される。
【００６１】
この状態で、断面六角形状のナットＲｔに、それが上顎部２及び下顎部３′の間に位置するように側方から嵌める。このとき、上下顎部間の間隔が広過ぎたり、狭過ぎたりするときは、駆動機構５にてスライダ４′を動かし、それにより上下顎部間隔を上顎部２及び下顎部３′で丁度ナットＲｔを挟み込めるように調整する（図７（Ａ）参照）。
【００６２】
この状態で、ハンドル部１をナットＲｔを中心にして、上顎部２からスライダ４′を経て下顎部３′の方へ描くことができる円弧に沿って上顎部２側から下顎部３′側（被回転体回し方向Ｒｄ）へ回すと、ナットＲｔを回動させることができる。このとき、スライダ４′の案内溝４２′に下顎部３′のピン３３′が係合しているとともに、下顎部３′の安定化接触面３２′がハンドル端部１１及びスライダ４′の平坦面１２、４１′に面接触しており、さらにＯ−リング５３２によって下顎部３′及びスライダ４′のハンドル部端部１１上での動きが抑制されているので、下顎部３′は不動状態にあり、これにより上顎部２と下顎部３′の間隔は一定に維持され、ナットＲｔを回動させることができる（図７（Ｂ）参照）。
【００６３】
ハンドル部１を前記とは反対方向Ｕｄに回すと、このときナットＲｔが既にある程度の締め付け状態にあるとか、緩める方向に回されている途中であるとかにより回転外力に対し抵抗があれば、上顎部２及び下顎部３′がナットＲｔから反力を受け、これにより、スライダ４′上で可動である下顎部３′が、スライダ４′上のバネ４３′に抗してピン３３′が案内溝４２′に沿って摺動することで、安定位置ＳＰから浮き上がり（図７（Ｃ）参照）、更には回動可能位置ＲＰをとる（図７（Ｄ）参照）。このとき、スライダ４′はＯ−リング５３２によってハンドル部端部１１上での動きを制止されているので、下顎部３′がナットＲｔから反力を受けても、スライダ４′が該反力によって動くことが一層抑制される。。これにより下顎部３′は、前記ナットＲｔからの反力により、ナットＲｔが上顎部２と下顎部３′の間で顎部２、３′に対し相対的に回動できるように両顎部間隔を広げる方向に回動する。これにより、ハンドル部１を反対方向Ｕｄに回すことができる。
【００６４】
ハンドル部１のこの反対方向Ｕｄの回動によりナットＲｔが両顎部２、３′の間に遊び状態で嵌まる位置に置かれると、下顎部３′はバネ４３′の偏寄力により再び安定位置ＳＰに配置され、ナットＲｔを掴むことができる。ここでハンドル部１を前記のように被回転体回し方向Ｒｄに駆動することでナットＲｔを回すことができる（図７（Ｅ）参照）。
【００６５】
これを繰り返すことで、換言すれば、両顎部２、３′をナットＲｔに嵌めたままハンドル部１を繰り返し往復回動させることで、ナットＲｔを締めつけたり、緩めたりできる。
【００６６】
上述の参考例アジャスタブルレンチＡＷ及び本発明に係るアジャスタブルレンチ例ＡＷ′においては、ウォームギヤ５２の回動を抑制するのにウォーム軸５３に嵌められたＯ−リング５３２を採用しているが、それに限られるものではなく、ウォームギヤ５２とハンドル１との間に圧縮される状態で嵌められた弾性リング等のウォームギヤ５２の回動を抑制できるもの、スライダ４、４′とハンドル部端部１１との間に圧縮される状態で嵌められた弾性シート等のスライダ４、４′の摺動を抑制できるもの等を広く採用することができる。
【００６７】
上記の例では、被回転体として断面六角形状のナットＲｔを例示したが、それに限られるものではなく、断面多角形状のボルト頭、ナット等、工具を外嵌して回動することで締めつけられるものであれば何でもよい。
【００６８】
本例では、スライダ４、４′を摺動させる駆動機構５として、ウォームギヤ機構５１を採用しているが、それに限られるものではなく、スライダ４、４′を摺動させることができ、駆動機構５を動作させない限りスライダ４、４′も摺動しない機構を有するもの等を広く採用できる。
【００６９】
【発明の効果】
本発明によると、断面多角形状のボルト頭、ナット等の被回転体に側方から該被回転体の被嵌合部の大きさに合わせて開口部を拡縮させて該被回転体に嵌合係合させ、その後は頻繁に下顎部の位置を調整しなくても該被回転体を確実につかんだ状態で、該被回転体を締めつける又は緩めることができる便利なアジャスタブルレンチを提供することができる。
【００７０】
また本発明によると、少ない部品点数で簡単な構造に製作でき、それだけ安価に製作できるアジャスタブルレンチを提供することができる。
【００７１】
さらに本発明によると、使い易いアジャスタブルレンチを提供することができる。
【図面の簡単な説明】
【図１】参考例アジャスタブルレンチの１例の全体平面図である。
【図２】図１に示すアジャスタブルレンチの要部の拡大平面図である。
【図３】図１に示すアジャスタブルレンチの要部の拡大側面図である。
【図４】本発明に係るアジャスタブルレンチの１例の全体平面図である。
【図５】図４に示すアジャスタブルレンチの要部の拡大平面図である。
【図６】図４に示すアジャスタブルレンチの要部の拡大側面図である。
【図７】図（Ａ）は図４に示すアジャスタブルレンチを被回転体に係合嵌合した状態を示す概略図であり、図（Ｂ）は図（Ａ）の状態でアジャスタブルレンチを被回転体回し方向に回動させたときの概略図であり、図（Ｃ）は図（Ｂ）の状態からアジャスタブルレンチを回し方向と反対方向に回動させ始めたときの概略図であり、図（Ｄ）は下顎部が回動位置にあるときのアジャスタブルレンチの位置を示す概略図であり、図（Ｅ）はアジャスタブルレンチが再度被回転体に係合嵌合した状態を示す概略図である。
【符号の説明】
ＡＷ、ＡＷ′  アジャスタブルレンチ
１  ハンドル部
１１  ハンドル部端部
２  上顎部
２１  被回転体掴み用内側面
３、３′  下顎部
３１、３１′  被回転体掴み用内側面
３２′  安定化接触面
３３′  ピン
４、４′  スライダ
４１′  平坦面
４２′  案内溝
４３′  バネ
４４、４４′  ラック
５  駆動機構
５１  ウォームギヤ機構
５２  ウォームギヤ
５３  ウォーム軸
５３１  溝
５３２  Ｏ−リング
Ｒｔ  被回転体（ナット）
【図１】
0004187443.tif 000002
【図２】
0004187443.tif 000003
【図３】
0004187443.tif 000004
【図４】
0004187443.tif 000005
【図５】
0004187443.tif 000006
【図６】
0004187443.tif 000007
【図７】
0004187443.tif 000008